(57)【要約】【課題】不使用時において小さなスペースに保管可能な簡易什器を提供する。【解決手段】背面部２と、背面部２の幅方向両側に配設される側面部３Ｌ，３Ｒと、背面部２と側面部３Ｌ，３Ｒとに着脱可能に支持される棚４，５と、を有する簡易什器１であって、側面部３Ｌ，３Ｒは、垂直軸回りに回動可能に背面部２に連結されている。【選択図】図７
2019187731.tif 000002
【特許請求の範囲】
【請求項１】
背面部と、該背面部の幅方向両側に配設される側面部と、前記背面部と前記側面部とに着脱可能に支持される棚と、を有する簡易什器であって、
前記側面部は、垂直軸回りに回動可能に前記背面部に連結されていることを特徴とする簡易什器。
【請求項２】
前記背面部は、上面視コ字状に形成されていることを特徴とする請求項１に記載の簡易什器。
【請求項３】
前記背面部と前記側面部と前記棚とは、格子状部材によって形成されており、
前記棚は、前記背面部の前記格子状部材に係止可能な第１係止部と、前記側面部の前記格子状部材に係止可能な第２係止部と、を有していることを特徴とする請求項１または２に記載の簡易什器。
【請求項４】
前記棚は、前記第１係止部を支点として前記背面部に対して水平軸回りに回動可能であることを特徴とする請求項３に記載の簡易什器。
【請求項５】
前記棚は、上下に複数支持されており、下方側の前記棚は上方向へ回動され、上方側の前記棚は下方向へ回動され、上方側の前記棚と下方側の前記棚とは前記背面部と前記側面部との間に収納されることを特徴とする請求項４に記載の簡易什器。
【請求項６】
前記第１係止部は、鉤状に形成されていることを特徴とする請求項３ないし５のいずれかに記載の簡易什器。
【発明の詳細な説明】
【技術分野】
【０００１】
本発明は、簡易什器に関する。
【背景技術】
【０００２】
従来、例えば、スーパーマーケット、コンビニエンスストア、デパート等の売場において、商品陳列棚や冷蔵・冷凍ショーケースの近傍に簡易的に設置され、商品陳列棚や冷蔵・冷凍ショーケースに陳列された商品（物品）の関連商品を陳列するために用いられる簡易什器が知られている。
【０００３】
例えば、特許文献１に示される簡易什器は、上面視コ字状に形成されたフレームの内方に、棚板（棚）を略水平に装着することによって、棚板上に商品を陳列可能に構成されている。フレームは、上下方向に延びる複数の縦桟と上面視コ字状の複数の横桟とによって形成される格子状部材であり、縦桟と横桟とにより左右方向に延びる背面部と、背面部の両側端部それぞれから背面部に略直交して前後方向へ延びる左右一対の側面部が形成されている。また、棚板は、後端部と左右端部とに備えられた係止片と係合片とによって背面部と側面部の横桟に着脱可能に支持・装着されるものである。棚板を装着するフレームの横桟を選択することで、所望の高さ位置に棚板を支持させることができる。
【先行技術文献】
【特許文献】
【０００４】
【特許文献１】特許第５３５９９８２号公報（第４，５頁、第１図）
【発明の概要】
【発明が解決しようとする課題】
【０００５】
簡易什器は、不使用時においてバックヤード等の保管場所に保管されるが、特許文献１に示される簡易什器にあっては、フレームが上面視コ字状に屈曲された横桟と縦桟とを溶接することで一体に形成されているため、簡易什器を保管するのに必要なスペースが大きくなってしまい、保管場所における保管効率を下げてしまう虞があった。
【０００６】
本発明は、このような問題点に着目してなされたもので、不使用時において小さなスペースに保管可能な簡易什器を提供することを目的とする。
【課題を解決するための手段】
【０００７】
前記課題を解決するために、本発明の簡易什器は、
背面部と、該背面部の幅方向両側に配設される側面部と、前記背面部と前記側面部とに着脱可能に支持される棚と、を有する簡易什器であって、
前記側面部は、垂直軸回りに回動可能に前記背面部に連結されていることを特徴としている。
この特徴によれば、棚を背面部に沿った状態または背面部と側面部とから棚を離脱させた状態とし、かつ、背面部と前後方向に重合するように側面部を垂直軸回りに回動させることで、背面部から前方側へ突出する寸法を抑えて折り畳むことができ、不使用時において小さなスペースに保管することができる。
【０００８】
前記背面部は、上面視コ字状に形成されていることを特徴としている。
この特徴によれば、側面部を背面部に前後方向に重合するように折り畳むことで、背面部と側面部とに囲まれた空間を形成でき、この空間内に棚を収納することができ、簡易什器を構成する部材を一体に保管することができる。
【０００９】
前記背面部と前記側面部と前記棚とは、格子状部材によって形成されており、
前記棚は、前記背面部の前記格子状部材に係止可能な第１係止部と、前記側面部の前記格子状部材に係止可能な第２係止部と、を有していることを特徴としている。
この特徴によれば、棚上に物品を載置可能な陳列形態において、棚の取付け位置を選択できるとともに、棚の第１係止部および第２係止部を背面部または側面部の格子状部材に係止させることで、背面部、側面部および棚を簡素な構成で一体化することができる。
【００１０】
前記棚は、前記第１係止部を支点として前記背面部に対して水平軸回りに回動可能であることを特徴としている。
この特徴によれば、棚を水平軸回りに回動させることで背面部と前後方向に重合させて、背面部に支持させることができ、折り畳みの作業を簡便にできる。
【００１１】
前記棚は、上下に複数支持されており、下方側の前記棚は上方向へ回動され、上方側の前記棚は下方向へ回動され、上方側の前記棚と下方側の前記棚とは前記背面部と前記側面部との間に収納されることを特徴としている。
この特徴によれば、側面部を背面部に前後方向に重合するように折り畳んだ際に、上方側の棚および下方側の棚それぞれの自由端を背面部および側面部の上下端の間に収納可能であることから、棚上に物品を載置可能な陳列形態における各棚の奥行寸法を大きくすることができる。
【００１２】
前記第１係止部は、鉤状に形成されていることを特徴としている。
この特徴によれば、鉤状の第１係止部を背面部の格子状部材へ係止させることで、背面部への着脱と回動を行うことができる。
【図面の簡単な説明】
【００１３】
【図１】本発明の実施例における陳列形態の簡易什器を示す斜視図である。
【図２】簡易什器を示す分解斜視図である。
【図３】（ａ）は、側面部材の回動を示す模式上面図であり、（ｂ）は、棚の着脱時の側面部材を示す模式上面図である。
【図４】陳列形態の簡易什器を示す模式上断面図である。
【図５】（ａ），（ｂ）は、簡易什器の折り畳み動作を説明する模式側断面図である。
【図６】（ａ），（ｂ）は、図５に引き続き簡易什器の折り畳み動作を説明する模式側断面図である。
【図７】収納形態の簡易什器を示す斜視図である。
【発明を実施するための形態】
【００１４】
本発明に係る簡易什器を実施するための形態を実施例に基づいて以下に説明する。
【実施例】
【００１５】
実施例１に係る簡易什器につき、図１から図７を参照して説明する。以下、図１の紙面右下側を簡易什器の正面側（前方側）とし、正面側から見たときの上下左右前後方向を基準として説明する。
【００１６】
本実施例の簡易什器１は、スーパーマーケット、コンビニエンスストア、デパート等の売場において、商品陳列棚や冷蔵・冷凍ショーケースの近傍に適宜設置され、例えば、精肉売場であれば焼肉のたれ、野菜売場であればドレッシング等のように、商品陳列棚や冷蔵・冷凍ショーケースに陳列された商品の関連商品が陳列される。
【００１７】
図１に示されるように、簡易什器１は、上面視コ字状に形成された本体２（背面部）、本体２の左右側端部にそれぞれ取付けられた左右一対の側面部材３Ｌ，３Ｒ（側面部）、本体２および側面部材３Ｌ，３Ｒの上部または下部にそれぞれ取付けられた上棚４および下棚５によって主に構成されており、上棚４および下棚５それぞれの載置部４０，５０上には、商品を陳列可能となっている（以降、この簡易什器１の形態を「陳列形態」と記載）。
【００１８】
図２に示されるように、本体２は、金属線材からなる矩形の枠体２５に金属線材からなる複数の縦桟２６，２６，…と金属線材からなる縦桟２６，２６，…に直交する複数の横桟２７，２７，…とが溶接固定されることで略長方形の平板状に形成された格子状部材の左右端部がそれぞれ内向きに折り曲げられて、基部２０と、該基部２０の左右端部それぞれから当該基部２０と略直交して前方側へと延びる前方延出部２１，２１を備えた上面視略コ字状に形成されている。
【００１９】
前方延出部２１の前端部２１ａ，２１ａの本体２の内方側（対向する前方延出部２１側）には、上下方向に延びる円筒状の第１筒部材２２ａ，２２ｂが上下方向に離間してそれぞれ溶接固定されている。第１筒部材２２ａ，２２ｂの上下方向に連通する連通孔には、側面部材３Ｒまたは側面部材３Ｌの後述する上回動軸３５ａと下回動軸３５ｆとがそれぞれ挿入されている。
【００２０】
基部２０の左右端部それぞれに位置する縦桟２６，２６の本体２の内方側（前方延出部２１側）には、上下方向に延びる円筒状の第２筒部材２３，２３がそれぞれに溶接固定されている。この第２筒部材２３，２３の上下方向に連通する連通孔には、金属製の線材によって下向きコ字状に形成されたチャンネル杆６の左右端部をそれぞれ挿入可能となっている。チャンネル杆６には、プライスカードやＰＯＰ（Ｐｏｉｎｔ  ｏｆ  ｐｕｒｃｈａｓｅ）広告等を掲示することができる。また、チャンネル杆６を第２筒部材２３，２３に挿入・設置する高さ位置はネジ等によって調整可能となっている。
【００２１】
次に、左側の側面部材３Ｌについて、図２，図３を用いて説明し、右側の側面部材３Ｒについては側面部材３Ｌを鏡像反転させた構成と略同一であるため、説明を省略する。側面部材３Ｌは、本体２の格子部材と同様に金属線材からなる格子部材であって、下方の略矩形部の上方に上方側が窄まる台形部が連なるウィング形に形成されている。尚、側面部材３Ｌの上下寸法は、本体２の上下寸法と略同寸であり、側面部材３Ｌの前後寸法は、本体２の左右寸法の半分の寸法よりも短寸となっている（図３（ａ）参照）。
【００２２】
枠体３５の対向する上下端部間に亘って縦桟３６が溶接固定されており、これら枠体３５および縦桟３６の内方側（対向する側面部材３Ｒ側）に横桟３７が直交した部分が溶接固定されている。これにより、側面部材３Ｌ，３Ｒを互いに平行に配設した際に、本体２の前方延出部２１，２１よりも内方側かつ、枠体３５および縦桟３６よりも内方側に横桟３７が配設される（図４参照）。
【００２３】
側面部材３Ｌは、上部の幅寸法（図２における前後方向の寸法）が下部の幅寸法よりも短寸となっている。また、側面部材３Ｌを構成する枠体３５の後端部には、上端部から略垂直下方へ直線状に延びる上回動軸３５ａと、下端部から略垂直上方へ直線状に延びる下回動軸３５ｆとを備えており、上回動軸３５ａおよび下回動軸３５ｆが本体２の第１筒部材２２ａ，２２ｂに挿入されることで、側面部材３Ｌが本体２に対して垂直軸回りに回動可能に支持されている（図３参照）。
【００２４】
図２に示されるように、側面部材３Ｌの最下段の横桟３７の前方側かつ内方側に（対向する側面部材３Ｒ側）には、前後方向に延びる円筒状の第３筒部材３２Ｌが最下段の横桟３７に沿って溶接固定されている。同様に、右側の側面部材３Ｒには、第３筒部材３２Ｒが溶接固定されており、この第３筒部材３２Ｒには、内部に金属製の線材によって横向きＬ字状に形成された閂７が軸方向に移動可能に挿通・保持されている（図１参照）。閂７は、第３筒部材３２Ｌの開口と第３筒部材３２Ｒの開口とが対向した状態で、第３筒部材３２Ｌに挿入可能となっている。
【００２５】
次に、上棚４について、図２，図４，図５を用いて説明する。上棚４は、本体２や側面部材３Ｌの格子状部材と同様に、上面視コ字状に形成された枠体４５に複数の縦桟４６，４６，…と３本の横桟４７，４７，４７とが略直交して溶接固定されて形成された格子状部材から成り、略平板状に形成された載置部４０と、載置部４０の前端部から載置部４０と略直交して上方向へ延びるストッパ４１とを備えている。載置部４０上には、商品を陳列できる。また、ストッパ４１は、載置部４０上に陳列された商品が、前方側へ落下することを防止するものであるとともに、図示しないプライスカードレールを取付け可能となっている。
【００２６】
上棚４は、枠体４５の自由端部が載置部４０の後端から載置部４０と略平行に後方側へ直線状に突出し、略垂直下方へ折り曲げられ、さらに略垂直前方へ折り曲げられることで、前方側（載置部４０側）に開口する側面視逆向きコ字状の鉤部４２（第１係止部）が左右一対に形成されており、鉤部４２は、載置部４０よりも後方側かつ下方側に突出している。
【００２７】
図５に示されるように、鉤部４２は、本体２の横桟２７に係止可能に形成されており、係止される横桟２７に応じて上棚４の取付け位置を選択できるとともに、横桟２７に係止させることで、本体２への着脱と、鉤部４２の内周縁４２ａが横桟２７の外周面２７ａに当接することで案内されながら水平軸周りの回動を行うことができる。
【００２８】
図２に示されるように、載置部４０のストッパ４１側に配設された横桟４７の下端部には、金属製の線材を下向きＬ字状に折り曲げて形成した係止部４３，４３（第２係止部）となっている。係止部４３，４３は、枠体４５の側端部よりも外側方へそれぞれ突出しており、側面部材３Ｌ，３Ｒそれぞれの横桟３７，３７に係止可能である（図４参照）。
【００２９】
図４に示されるように、上棚４の左右寸法Ｍ２（一方の係止部４３の外側端から他方の係止部４３の外側端までの寸法）は、本体２の前方延出部２１，２１間の離間寸法Ｍ１よりも短尺となっている。また、係止部４３，４３の内側間の離間寸法Ｍ４は、互いに平行に配設された側面部材３Ｌ，３Ｒの一方の横桟３７の外側端から他方の横桟３７の外側端までの左右寸法Ｍ３よりも僅かに長寸な略同寸となっている。これらにより、折り畳み時に前方延出部２１，２１間に係止部４３，４３を移動させることができるとともに、陳列時に互いに平行に配設された側面部材３Ｌ，３Ｒの横桟３７，３７に係止部４３，４３を係止させることができる。
【００３０】
また、上述した寸法関係により、上棚４を略水平軸回りに回動させる際には、図３（ｂ）に示されるように、側面部材３Ｌ，３Ｒを本体２の前方延出部２１，２１よりも外方側へと回動させることで、上棚４の係止部４３，４３が側面部材３Ｌ，３Ｒに当たることなく簡単に回動可能となっている。
【００３１】
次に、下棚５について、図２，図５（ｂ），図６（ａ）を用いて説明する。尚、以降の説明において、上棚４と重複する点については説明を簡略化する。下棚５は、上棚４の格子状部材と同様に、上面視逆向きコ字状に形成された枠体５５に複数の縦桟５６，５６，…と４本の横桟５７，５７，５７，５７とが略直交して溶接固定されて形成された格子状部材から成り、略平板状に形成された載置部５０と、載置部５０の前端部から載置部５０と略直交して上方向へ延びるストッパ５１とを備えている。尚、載置部５０は、上棚４の載置部４０よりも前後寸法が長寸かつ載置部４０の左右寸法と略同寸であり、その面積が上棚４の載置部４０よりも広い。
【００３２】
下棚５は、枠体５５の自由端部が載置部５０の後端から載置部５０と略垂直に上方側へ直線状に突出し、略垂直後方へ折り曲げられ、さらに略垂直下方へ折り曲げられることで、下方側に開口する側面視下向きコ字状の鉤部５２（第１係止部）が左右一対に形成されており、鉤部５２は、載置部５０よりも後方側かつ上方側に突出している。また、鉤部５２の内、載置部５０の後端から載置部５０と略垂直に上方側へ直線状に突出する部分を後方起立部５２ｂと呼称する。この後方起立部５２ｂの上下寸法は、本体２の隣り合う横桟２７，２７間の寸法よりも長寸である。
【００３３】
図５（ｂ），図６（ａ）に示されるように、鉤部５２は、本体２の横桟２７に係止可能に形成されており、係止される横桟２７に応じて下棚５の取付け位置を選択できるとともに、本体２への着脱と、鉤部５２の内周縁５２ａが横桟２７の外周面２７ａに当接することで案内されながら水平軸周りの回動を行うことができる。
【００３４】
図２に示されるように、載置部５０のストッパ５１側に配設された横桟５７の下端部には、下向きＬ字状の係止部５３，５３（第２係止部）が溶接固定されている。係止部５３，５３は、側面部材３Ｌ，３Ｒそれぞれの横桟３７，３７に係止可能である（図１参照）。
【００３５】
直接の図示は省略するが、下棚５の左右寸法は上棚４の左右寸法Ｍ２と略同寸であり、下棚５の係止部５３，５３間の離間寸法は上棚４の係止部４３，４３間の離間寸法Ｍ４と略同寸である。これらにより、折り畳み時に、本体２の前方延出部２１，２１間に下棚５の係止部５３，５３を移動させることができるとともに、陳列時に、互いに平行に配設された側面部材３Ｌ，３Ｒの横桟３７，３７に係止部５３，５３を係止させることができる。また、上棚４と同様に、下棚５を略水平軸回りに回動させる際には、図３（ｂ）に示されるように、側面部材３Ｌ，３Ｒを本体２の前方延出部２１，２１よりも外方側へと回動させるとよい。
【００３６】
次に、簡易什器１の陳列形態について、図１を用いて説明する。先ず、側面部材３Ｌ，３Ｒを本体２の前方延出部２１，２１に沿って、かつ互いに略平行に配設させる。次いで、上棚４の鉤部４２を本体２の横桟２７に係止させ、上棚４の係止部４３，４３を側面部材３Ｌ，３Ｒの横桟３７，３７に係止させることで、本体２および側面部材３Ｌ，３Ｒに上棚４を取付ける。同様に、下棚５は、下棚５の鉤部５２を横桟２７に係止させ、下棚５の係止部５３，５３を横桟３７，３７に係止させる。尚、上棚４の鉤部４２と本体２の横桟２７との係止位置をそのままに、上棚４の係止部４３，４３を係止させる横桟３７，３７を選択することで、載置部４０を略水平または傾斜させることができる。下棚５についても同様である。
【００３７】
陳列形態においては、上棚４の側端部に側面部材３Ｌまたは側面部材３Ｒが当接することで、側面部材３Ｌ，３Ｒの内側への回動が規制されるとともに、上棚４の係止部４３，４３によって側面部材３Ｌ，３Ｒが陳列形態よりも外側へ回動することが規制されている。下棚５についても同様に機能する。すなわち、上棚４および下棚５により本体２、側面部材３Ｌ，３Ｒが上面視コ字状に配設された状態で一体化されていることから、本体２、側面部材３Ｌ，３Ｒの各下端部が床に接することにより、安定して自立させることができる。
【００３８】
次に、陳列形態にある簡易什器１を折り畳み後述する収納形態とする手順について、図５〜図７を用いて説明する。尚、図５、図６については、説明の都合上、上棚４および下棚５の図示を簡略化している。
【００３９】
先ず、図５（ａ）に示される陳列形態の状態において、下棚５の前端を僅かに上方へ持ち上げ、下棚５の鉤部５２が係止される本体２の横桟２７に沿って側面部材３Ｒ側へと移動させることで、下棚５の左側の係止部５３を側面部材３Ｌの横桟３７から離脱させる。同様に、上棚４を僅かに上方に持ち上げ側面部材３Ｒ側へと移動させることで、上棚４の左側の係止部４３を側面部材３Ｌから離脱させる。その後、側面部材３Ｌを本体２の前方延出部２１，２１よりも外方側へと回動させる。同様に、側面部材３Ｒから下棚５、上棚４の順に離脱させ、側面部材３Ｒを前方延出部２１，２１よりも外方側へと回動させる。このようにして、側面部材３Ｌ，３Ｒから上棚４と下棚５とを離脱させ、上棚４と下棚５とは水平軸回りの回動が可能となる。尚、上棚４と下棚５とを離脱させる際に、先に上棚４を離脱させてもよく、先に側面部材３Ｒから上棚４と下棚５とを離脱させてもよく、限定されるものではない。
【００４０】
次いで、図５（ｂ）に示されるように、上棚４を、本体２の横桟２７の外周面２７ａに上棚４の鉤部４２の内周縁４２ａを案内させながら下方側へと水平軸回りに回動させる。尚、鉤部４２の開口はストッパ４１側に開放していることから、鉤部４２が横桟２７から離脱しにくくなっている。また、鉤部４２は、上棚４の載置部４０よりもストッパ４１とは反対側に突出していることから、図５（ｂ）に示されるように、載置部４０を本体２の基部２０に対して略平行となるように重合させることができる。
【００４１】
このように折り畳まれた上棚４は、鉤部４２の開口が下方側に向くため、本体２の横桟２７に吊支されかつ前後方向への移動が規制されているとともに、上棚４の係止部４３の自由端部が隣り合う横桟２７，２７の間に挿通されているため、折畳まれた上棚４は上方側の横桟２７によって上方向への移動が規制され、鉤部４２の横桟２７からの抜出し方向への移動が規制されている。このように、折り畳まれた上棚４は、本体２から離脱しにくくなっている。
【００４２】
尚、図５（ｂ）に示されるように、側面部材３Ｌ，３Ｒから離脱した下棚５は、鉤部５２，５２の後方起立部５２ｂ，５２ｂが隣り合う横桟２７，２７の間隔よりも上下方向に長寸となっているため下方側への回動が規制されている。
【００４３】
次いで、図６（ａ）に示されるように、下棚５の鉤部５２の内周縁５２ａを本体２の横桟２７の外周面２７ａに案内させながら下棚５を下方側へと水平軸回りに回動させる。尚、鉤部５２の開口は載置部５０側に開放していることから、鉤部５２が横桟２７から離脱しにくくなっている。また、鉤部５２は、下棚５の載置部５０に略直交しているとともに、後方起立部５２ｂが隣り合う横桟２７，２７間の寸法よりも長い寸法分、本体２の基部２０から前方へ突出することから、載置部５０を基部２０から離間させて基部２０に対して略平行となるように重合させることができる。
【００４４】
このように下棚５が折り畳まれた際に、下棚５の載置部５０と本体２の基部２０との離間寸法は、同下棚５のストッパ５１の載置部５０からの突出寸法や折り畳まれた上棚４のストッパ４１の前後寸法よりも長寸である、すなわち後方起立部５２ｂ，５２ｂの寸法はストッパ５１やストッパ４１の寸法よりも長寸であるとともに、上述したように下棚５の載置部５０の方が上棚４の載置部５０の陳列形態における前後寸法よりも長寸であることから、下棚５が折畳まれる空間内へ入れ子状に上棚４を折り畳むことができる。このことから、上棚４と下棚５とは、互いの折り畳みの妨げとなることが防止されている。
【００４５】
折り畳まれた下棚５は、鉤部５２の開口が前方側に向いているため、本体２の横桟２７に対して上下方向への移動が規制されているとともに、下棚５の載置部５０と本体２の基部２０との間に上棚４のストッパ４１や下棚５のストッパ５１が配設されているため、載置部５０が上棚４のストッパ４１に当接したり、下棚５のストッパ５１が基部２０に当接したりすることで、折畳まれた収納された下棚５の後方向への移動が規制されるため、鉤部５２の横桟２７からの抜出し方向への移動が規制されている。そのため、折り畳まれた下棚５は、本体２から離脱しにくくなっている。
【００４６】
次いで、側面部材３Ｌ，３Ｒを本体２の基部２０側へと垂直軸回りに回動させる。図６（ａ）に示されるように、折り畳まれた下棚５の載置部５０は第１筒部材２２ａ，２２ｂよりも後方側に位置することから、前方延出部２１の先端と略同一面上かつ基部２０に対して略平行に側面部材３Ｌ，３Ｒを折り畳むことができる（図６（ｂ）参照）。
【００４７】
次いで、図７に示されるように、直線状に連通した側面部材３Ｌ，３Ｒの第３筒部材３２Ｌ，３２Ｒの連通孔に、閂７を挿入させることで、簡易什器１の折り畳みが完了する（以降、この簡易什器１の形態を「収納形態」と記載）。
【００４８】
これらのように、簡易什器１は、収納形態において、本体２の基部２０、上棚４、下棚５および側面部材３Ｌ，３Ｒを重合させ、コンパクトにできるため、不使用時において小さなスペースに保管することができる。
【００４９】
また、簡易什器１は、本体２が折り畳まれた上棚４、下棚５および側面部材３Ｌ，３Ｒを収納可能に左右方向へ延設された基部２０および前後方向へ延設された前方延出部２１，２１により上面視コ字状に形成されていることから、側面部材３Ｌ，３Ｒと共に囲んだ空間を形成でき、この空間内に上棚４および下棚５を収納することができ、簡易什器１を構成する部材を一体に保管することができる。加えて、上面視コ字状に形成された本体２内に上棚４、下棚５および側面部材３Ｌ，３Ｒを折り畳むことができるため、本体２の下端部が床に接することにより自立可能である。
【００５０】
また、簡易什器１は、収納形態において、側面部材３Ｌ，３Ｒの回動を規制し、回動が規制された側面部材３Ｌ，３Ｒに当接することで下棚５の回動も規制され、回動が規制された下棚５に当接することで上棚４の回動も規制されることから、収納形態を保持することができる。そのため、各部材を保持した状態で簡易什器１を一体に保管できるとともに、持ち運びも容易である。
【００５１】
また、簡易什器１は、収納形態において、第３筒部材３２Ｌ，３２Ｒおよび閂７が簡易什器１の内方側に配置されるため、閂７に服等が引っ掛かりにくく、意図せず第３筒部材３２Ｌ，３２Ｒから離脱しにくい。
【００５２】
これまで、簡易什器１は、上棚４および下棚５を本体２に取付けたまま収納形態とすることができる態様として説明してきたが、本体２と側面部材３Ｌ，３Ｒとから上棚４および下棚５を離脱させ、本体２と前後方向に重合するように側面部材３Ｌ，３Ｒを垂直軸回りに回動させて折り畳むことで、個別に保管してもよい。この態様であっても、不使用時において小さなスペースに保管することができる。
【００５３】
また、上棚４の回動方向と下棚５の回動方向とが互いに反対であることから、陳列形態における上棚４および下棚５の奥行寸法を大きくすることができる。さらに、上棚４および下棚５を入れ子状に収納できることから、上棚４および下棚５の収納に必要なスペースを小さくすることができる。
【００５４】
また、本体２、側面部材３Ｌ，３Ｒ、上棚４および下棚５が金属製の線材により形成された格子状部材で形成されていることから、必要な強度を持たせた上で軽量化することができる。さらに、上棚４および下棚５の鉤部４２，５２および係止部４３，５３を本体２または側面部材３Ｌ，３Ｒの横桟２７，３７，３７に係止させることで、本体２、側面部材３Ｌ，３Ｒ、上棚４および下棚５を簡素な構成で一体化することができる。加えて、収納形態において、上棚４および下棚５の係止部４３，５３を本体２の隣り合う横桟２７，２７間の空間や側面部材３Ｌ，３Ｒの隣り合う横桟３７，３７間の空間に挿通させて収納することができるため、前後寸法を短寸にすることができる。
【００５５】
以上、本発明の実施例を図面により説明してきたが、具体的な構成はこれら実施例に限られるものではなく、本発明の要旨を逸脱しない範囲における変更や追加があっても本発明に含まれる。
【００５６】
例えば、前記実施例では、簡易什器１は、商品陳列棚や冷蔵・冷凍ショーケースに陳列された商品の関連商品を陳列するために用いられる態様として説明したが、レジ台や作業台上、バックヤード等で使用されてもよく、小物商品、冊子、ハサミ等の器具等を陳列・収納するために使用されてもよく、その使用態様が限定されるものではない。
【００５７】
また、簡易什器１は、金属製の線材によって各格子状部材や各係止部等が形成されている態様として説明したが、これに限らず、樹脂製の線材や、樹脂や金属の型抜き形成によって本体２、側面部材３Ｌ，３Ｒ、上棚４および下棚５がそれぞれ一体形成されていてもよい。また、側面部材３Ｌ，３Ｒ、上棚４および下棚５は、木製や金属製等の板材等により非格子形状に形成されていてもよい。
【００５８】
また、簡易什器１は、上棚４と下棚５を備える態様であるとして説明したが、これに限らず、棚は１つだけであってもよく、３つ以上備える態様であってもよい。３つ以上備える際には、前記実施例と同様に収納された上棚４と下棚５とを、下棚５と略同様に水平軸回りに回動可能な別の棚と本体２の基部２０との間に入れ子状に収納してもよく、前記実施例と同様に収納された上棚４と下棚５とは別に一つの棚を個別に収納してもよく、上棚４と略同一構成の棚が上下に配置され、それらの下方に配置される下棚５と略同一構成の棚と基部２０との間に入れ子状に収納してもよい。また、４つ以上備える際には、上下に分けて、前記実施例と同様に一組ずつ上棚４と下棚５とを収納してもよい。
【００５９】
上棚４および下棚５は、陳列形態における前後寸法が同じでもよく、上棚４の前後寸法の方が下棚５の前後寸法よりも長寸に形成されていてもよく、限定されるものではない。
【００６０】
また、上棚４および下棚５は、鉤部４２，５２が本体２の横桟２７に係止されることによって水平軸回りに回動可能に支持される態様として説明したが、これに限らず、横桟２７の前方延出部２１，２１に対して水平軸回りに回動可能に支持される態様であってもよい。さらに、第１係止部が鉤部４２，５２である態様であるとして説明したが、これに限らず、所謂Ｄ環や、本体２に設けられた軸受に棚に設けられた回動軸を挿通する態様であってもよく、限定されるものではない。第２係止部４３，５３についても同様に、側面部に取付け可能であればよく、チェーン等の線状部材やＬ字状の支持部材等によって商品を陳列可能に支持可能な手段が他にあれば設けられていなくともよい。
【００６１】
また、上棚４および下棚５には、ストッパ４１，５１が形成されている態様として説明したが、これに限らず、形成されていなくともよい。この態様であれば、収納形態における簡易什器１の前後寸法をさらに短寸にすることができる。
【００６２】
また、上棚４および下棚５は、本体２の基部２０の左右方向の寸法の略半分の寸法や、３分の１程度の寸法に形成されていてもよく、限定されるものではない。また、棚は、側面部材３Ｌまたは側面部材３Ｒの一方にだけ係止されていてもよい。これらの態様であれば、棚を上下方向ばかりでなく、左右方向においても選択して容易に配設することができるとともに、棚の上方の空間に係止部が配置されないようにすることができるため、陳列する物品に応じて当該空間を活用することができる。
【００６３】
本体２は、格子状部材を折り曲げることで基部２０と前方延出部２１，２１とが形成されている態様として説明したが、これに限らず、基部と前方延出部とが別部材に形成されていてもよく、互いに回動可能に連結されていてもよい。さらに、基部２０と前方延出部２１との間の角度は適宜変更されればよく、棚の形状についても同様である。
【００６４】
閂７を第３筒部材３２Ｌ，３２Ｒに挿入させることで、側面部材３Ｌ，３Ｒの回動を規制する態様として説明したが、これに限らず、単に、上棚４や下棚５を本体２から離脱させて、側面部材３Ｌ，３Ｒに係止させることで規制してもよく、側面部材３Ｌに垂直軸回りに回動可能に軸支されたＳ字フックを側面部材３Ｒに係止させることで規制してもよく、側面部材３Ｌ，３Ｒの回動を規制する態様のものであれば、側面部材３Ｌ，３Ｒの回動を規制する規制手段が限定されるものではない。また、簡易什器には、規制手段が設けられていなくともよい。
【符号の説明】
【００６５】
１              簡易什器
２              本体（背面部）
３Ｌ，３Ｒ      側面部材（側面部）
４              上棚
５              下棚
２７            横桟
３７            横桟
４２            鉤部（第１係止部）
４３            係止部（第２係止部）
５２            鉤部（第１係止部）
５３            係止部（第２係止部）
【図１】
2019187731.tif 000003
【図２】
2019187731.tif 000004
【図３】
2019187731.tif 000005
【図４】
2019187731.tif 000006
【図５】
2019187731.tif 000007
【図６】
2019187731.tif 000008
【図７】
2019187731.tif 000009